(57)【要約】【課題】低コスト化を図ることのできるカセットテーププレーヤのモード切換装置を提供する。【解決手段】カム付きギア３に、モード切換レバー３０の係合突起４０が摺動する環状溝１０を形成し、この環状溝１０の外周側に各動作モード位置において係合突起４０に係合可能な動作モードストッパ１１，１２，１３を配設し、環状溝１０の内周側に基準位置の設定に用いる基準ストッパ１４をストップモード時のストップ位置を設定するための動作モードストッパ１１の配設位置よりカム付きギア３の回転方向の前側に形成し、係合突起４０を基準ストッパ１４に一旦係合した後ストップ位置を設定するための動作モードストッパ１１に係合する。【選択図】　　　図１
2004095043.tif 000002
【特許請求の範囲】
【請求項１】
複数の動作モードを切り換えるためのカム付きギアと、前記カム付きギアに係合可能なモード切換レバーと、前記モード切換レバーを回動動作させるためのソレノイドとを備え、前記カム付きギアと前記モード切換レバーとの係合位置によって動作モードを切り換えるカセットテーププレーヤのモード切換装置であって、
前記カム付きギアは、前記モード切換レバーの係合突起が摺動する環状溝と、この環状溝の外周側に配設されており各動作モード位置において前記係合突起に係合可能な動作モードストッパと、前記環状溝の内周側に配設されており基準位置の設定に用いる基準ストッパとを有し、
前記基準ストッパは、前記各動作モードストッパのうちのストップモード時のストップ位置を設定するための動作モードストッパの配設位置より前記カム付きギアの回転方向の前側に配置され、前記係合突起を前記基準ストッパに一旦係合した後、前記ストップ位置を設定するための動作モードストッパに係合させるように形成されていることを特徴とするカセットテーププレーヤのモード切換装置。
【請求項２】
前記係合突起を前記各動作モードストッパおよび基準ストッパから離間した際に、前記カム付きギアを回転方向に沿って回転するように付勢する付勢手段が設けられていることを特徴とする請求項１に記載のカセットテーププレーヤのモード切換装置。
【発明の詳細な説明】
【０００１】
【発明の属する技術分野】
本発明は、カセットに収納されているカセットテープに対して情報の記録・再生・消去などを行うカセットテーププレーヤのモード切換装置に関する。
【０００２】
【従来の技術】
従来から、カセットに収納されているカセットテープ（磁気テープ）に対して情報の記録・再生・消去などを行うカセットテーププレーヤが知られている。
【０００３】
このようなカセットテーププレーヤにおいては、ストップモード、プレイモード、早送り／巻き戻しモードなどの複数の動作モードにおけるヘッドの位置、詳しくはヘッドがカセットテープに対して進退するようにヘッドを搭載してメインフレームの上方をメインフレームに沿って往復直線運動可能に形成されたヘッドベースの位置の切り換え（位置制御）を、カム付きギア、モード切換レバーおよびソレノイドにより行うことのできるカセットテーププレーヤのモード切換装置（以下、単に、モード切換装置と記す。）が、動作モード設定のための機構が簡単で、低コスト化を図ることができるなどの理由により提案されている。
【０００４】
例えば、カム付きギアには、ヘッドがカセットテープに対して直線的に進退するようにヘッドが搭載されたヘッドベースの往復直線運動を得るためのヘッドカムと、ストップ位置およびプレイ位置ならびに早送り／巻き戻し位置などの各動作モードにおけるヘッドの位置を設定するための複数の動作モードストッパが円周方向に沿って配置されている。また、駆動腕および作動腕を有するモード切換レバーの作動腕の先端部には、係合突起が形成されており、モード切換レバーの駆動腕をソレノイドによって動作させることにより、作動腕上の係合突起は、カム付きギアの回転による複数の動作モードストッパの移動軌跡上の位置と、この移動軌跡に臨む位置とを選択できるように形成されている。そして、ソレノイドを駆動させてモード切換レバーの係合突起を複数の動作モードストッパの移動軌跡上に位置させることで、係合突起を複数の動作モードストッパのいずれかと係合させて、所望の動作モードにおけるヘッドの位置を容易に制御することができるように構成されている。
【０００５】
このような従来のモード切換装置においては、カム付きギアとモード切換レバーとの係合位置によって動作モードが、ストップモード、プレイモード、早送り／巻き戻しモードの順に、順次切り換えられる構成になっている。
【０００６】
しかしながら、従来のモード切換装置においては、各動作モード時におけるモード切換レバーの状態が同一であるため、係合位置のみでは、カム付きギアの設定、すなわち動作モードの判断を誤ってしまうという問題点があった。言い換えると、動作モードを確実に特定することができないという問題点があった。これにより、例えば、カム付きギアのストップ位置とプレイ位置とを誤って判断してしまうという不都合を生じる場合があった。
【０００７】
このような問題点に対処するため、従来のモード切換装置においては、ヘッドベースの移動によって動作するプレイ位置検出スイッチが設けられている。
【０００８】
【発明が解決しようとする課題】
ところで、近年では、各種装置の低コスト化が常に図られており、カセットテーププレーヤも低コスト化が図られている。そして、カセットテーププレーヤの低コスト化を図るうえで、モード切換装置の低コスト化が求められている。
【０００９】
そこで、プレイ位置検出スイッチを不要にし、コスト削減を図ることのできるモード切換装置が求められている。
【００１０】
本発明はこの点に鑑みてなされたものであり、低コスト化を図ることのできるカセットテーププレーヤのモード切換装置を提供することを目的とする。
【００１１】
【課題を解決するための手段】
前述した目的を達成するため本発明に係るカセットテーププレーヤのモード切換装置の特徴は、複数の動作モードを切り換えるためのカム付きギアと、カム付きギアに係合可能なモード切換レバーと、モード切換レバーを回動動作させるためのソレノイドとを備え、カム付きギアとモード切換レバーとの係合位置によって動作モードを切り換えるカセットテーププレーヤのモード切換装置であって、カム付きギアは、モード切換レバーの係合突起が摺動する環状溝と、この環状溝の外周側に配設されており各動作モード位置において係合突起に係合可能な動作モードストッパと、環状溝の内周側に配設されており基準位置の設定に用いる基準ストッパとを有し、基準ストッパは、各動作モードストッパのうちのストップモード時のストップ位置を設定するための動作モードストッパの配設位置よりカム付きギアの回転方向の前側に配置され、係合突起を基準ストッパに一旦係合した後、ストップ位置を設定するための動作モードストッパに係合させるように形成されている点にある。そして、このような構成を採用したことにより、ソレノイドを駆動すると、モード切換レバーの係合突起は、環状溝の内周側と外周側とのいずれかに選択的に位置する。そして、係合突起を環状溝の内周側に位置させた状態でカム付きギアを回転させると、係合突起は、カム付きギアの動作モードストッパとは係合せずに、基準ストッパとのみ係合してカム付きギアの回転を停止する。その後ソレノイドを逆方向に駆動して係合突起を環状溝の内周側から外周側に位置させると、カム付きギアが回転し、係合突起は、カム付きギアの動作モードストッパのうちのストップ位置を設定するための動作モードストッパと係合してカム付きギアの回転を停止する。したがって、モード切換レバーは、基準位置を経由した後には必ずストップ位置でカム付きギアの回転を停止させることができるので、従来の個別に配設されるプレイ位置検出スイッチを不要にし、コスト削減を図ることができる。
【００１２】
また、本発明に係るカセットテーププレーヤのモード切換装置においては、係合突起を各動作モードストッパおよび基準ストッパから離間した際に、カム付きギアを回転方向に沿って回転するように付勢する付勢手段を設けることが好ましい。そして、このような構成を採用したことにより、係合突起と基準ストッパとの係合状態を解除した際に、カム付きギアを確実に回転させることができる。
【００１３】
【発明の実施の形態】
以下、本発明を図面に示す実施形態により説明する。
【００１４】
図１は本発明に係るモード切換装置を適用したカセットテーププレーヤのメインフレームの背面側の主要構成を示す平面図である。
【００１５】
図１に示すように、本実施形態のカセットテーププレーヤ１は、平面ほぼ矩形に形成されたメインフレーム２を備えている。このメインフレーム２の中央部下側には、複数の動作モードを切り換えるためのカム付きギア３が配設されている。このカム付きギア３は、メインフレーム２に立設されたギア支軸４によって回動自在に支持されている。
【００１６】
前記カム付きギア３の外周には歯５が形成されており、この歯５は、カム付きギア３の左側に配設されている出力ギア６と噛合可能にされている。この出力ギア６は、図示しないモータ（キャプスタンモータ）の駆動力をもって回転駆動するキャプスタン（図示せず）と一体回転するように配設されており、出力ギア６は、図１において矢印Ａにて示す時計回りに回転駆動されるようになっている。そして、出力ギア６の回転は、出力ギア６に噛合したカム付きギア３に伝達されるように形成されており、カム付きギア３は、図１において矢印Ｂにて示す反時計回りに回転するようになっている。しかしながら、カム付きギア３の歯部５には、４箇所の欠損部５ａ，５ｂ，５ｃ，５ｄが設けられており、欠損部５ａ，５ｂ，５ｃ，５ｄが出力ギア６と対向している状態においては、出力ギア６からカム付きギア３に回転力が伝達されないようになっている。
【００１７】
前記カム付きギア３の表面の外周側には、環状溝１０が形成されており、この環状溝１０の外周側には、平面ほぼ横長四角形に形成された３つの動作モードストッパ１１，１２，１３がカム付きギア３の中心から同心円上に円周方向に沿って配置されている。これらの３つの動作モードストッパ１１，１２，１３のうち、図１上方に示す動作モードストッパ１１は、ストップモードにおけるカム付きギア３のストップ位置を設定するためのものであり、図１下方に示す動作モードストッパ１２は、プレイモードにおけるカム付きギア３のプレイ位置を設定するためのものであり、図１左斜め下方に示す動作モードストッパ１３は、早送り／巻き戻しモードにおけるカム付きギア３の早送り／巻き戻し位置を設定するためのものである。
【００１８】
前記環状溝１０の内周側には、基準位置の設定に用いる基準ストッパ１４が形成されている。この基準ストッパ１４は、平面ほぼ三角山状に形成されているとともに、環状溝１０の外周側に形成されている相互に隣位する２つの動作モードストッパ１１，１３の間に位置するように配設されている。この基準ストッパ１４は、カム付きギア３の回転にともなって、後述するモード切換レバー３０の係合突起４０と接触した場合、係合突起４０が回転方向の前側に位置する斜面に係合して、カム付きギア３の回転を停止することができる形状とされている。なお、環状溝１０の内周側には、複数の突起が形成されているが、これらの突起は、カム付きギア３の回転にともなって、後述するモード切換レバー３０の係合突起４０と接触した場合、係合突起４０がカム付きギア３の回転に伴って乗り越えられる形状とされている。
【００１９】
前記カム付きギア３のメインフレーム２と対向する裏面には、ヘッドカム２０が形成されている。このヘッドカム２０には、図１に破線にて示すヘッドベース２１から延出あるいは突設された作動部材２２の先端部が当接されている。このヘッドベース２１は、図示しない案内ガイドによってメインフレーム２からの高さが一定の位置を図１の破線矢印Ｃ，Ｄにて示す図１上下方向に移動自在に配設されているとともに、引っ張りばねなどからなる図示しないベース付勢ばねの付勢力によって、常に作動部材２２がヘッドカム２０と当接するように、図１の矢印Ｃにて示す方向に付勢されている。すなわち、ベース付勢ばねの付勢力は、作動部材２２をヘッドカム２０に常に当接させることができるとともに、ヘッドカム２０を介してカム付きギア３を常に矢印Ｂにて示す回転方向に沿って回転するように付勢することができるようになっている。そして、カム付きギア３と一体回転するヘッドカム２０によって、ヘッドベース２１が図１の矢印Ｃ，Ｄにて示す図１上下方向に往復直線運動することにより、ヘッドベース２１に搭載されたヘッドをカセットの内部に収納されているカセットテープに対して直線的に進退させることができるようになっている。
【００２０】
前記カム付きギア３の左側には、モード切換レバー３０が配設されている。このモード切換レバー３０は、その中央部がメインフレーム２に立設されたレバー支軸３１によって回転自在に支持されている。このレバー支軸３１は、カム付きギア３の左側で、かつ出力ギア６の上側に配置されている。そして、モード切換レバー３０には、レバー支軸３１の右側に延出された作動アーム３２と、レバー支軸３１の左側に延出された駆動アーム３３とを備えている。
【００２１】
前記作動アーム３２の先端部のメインフレーム２と対向する面には、平面ほぼ四角形の係合突起４０が形成されている。この係合突起４０のメインフレーム２と対向する端面は、環状溝１０の底部に摺接するようになっている。また、係合突起４０の図１右側に位置する前端面は、前述した３つの動作モードストッパ１１，１２，１３のカム付きギア３の回転方向の前側に位置する端面、および基準ストッパ１４のカム付きギア３の回転方向の前側に位置する斜面のそれぞれと係合可能に形成されている。
【００２２】
前記駆動アーム３３の先端部分は、ソレノイド４５のプランジャ４６に連結されており、このプランジャ４６は、常には前進した前進端に位置しており、モード切換レバー３０は、図示しないレバー付勢ばねの付勢力によって、常に、レバー支軸３１を中心として図１の矢印Ｅにて示す図１反時計回りに付勢されている。これにより、ソレノイド４５の非駆動状態において、プランジャ４６を前進端に前進動作させるとともに、作動アーム３２の係合突起４０を環状溝１０の外周側、すなわち３つの動作モードストッパ１１，１２，１３の移動軌跡上に位置させることができるようになっている。この時、ソレノイド４５のプランジャ４６は、係合突起４０が欠損部５ａ，５ｂ，５ｃを介して環状溝１０の径方向外側に外れないように回動範囲を規制している。そして、ソレノイド４５に通電することでプランジャ４６は、図１上方に後退運動して後退端に移動し、モード切換レバー３０をレバー支軸３１を中心として図１の矢印Ｆにて示す時計回りに回動させて、係合突起４０を環状溝１０の内周側に移動させることができるようになっている。
【００２３】
すなわち、ソレノイド４５を駆動してプランジャ４６を後退動作させることにより、モード切換レバー３０は、レバー支軸３１を中心として図１の矢印Ｆにて示す時計回りに回動し、作動アーム３２の係合突起４０は、環状溝１０の内部の内周側、詳しくは基準ストッパ１４の移動軌跡上に位置させることができるようになっている。
【００２４】
したがって、ソレノイド４５に対する通電状態と非通電状態とを制御することで、モード切換レバー３０を回動動作させることができるようになっている。そして、モード切換レバー３０を回動動作させることにより、係合突起４０は、環状溝１０の内周側と外周側とのいずれかに選択的に位置するように移動させることができるようになっている。すなわち、ソレノイド４５に対する通電状態と非通電状態とを切り換えることで、係合突起４０の位置を制御することができるようになっている。
【００２５】
前記カム付きギア３、モード切換レバー３０およびソレノイド４５により、本実施形態のカム付きギア３とモード切換レバー３０との係合位置によって動作モードを切り換えるモード切換装置５０が構成されている。
【００２６】
なお、カセットの装着機構、カセットのリールを駆動するための機構、キャプスタンとピンチローラとによるカセットテープの走行機構などの他の機構は、従来公知のものが用いられており、その詳しい説明および図示は省略する。
【００２７】
つぎに、前述した構成からなる本実施形態の作用について説明する。
【００２８】
まず、モード切換動作について図１から図３により説明する。
【００２９】
図１はストップ状態を示すメインフレームの背面側の主要構成を示す平面図、図２はプレイ状態を示す図１と同様の図、図３は早送り／巻き戻し状態を示す図１と同様の図である。
【００３０】
図１に示すように、本実施形態のカセットテーププレーヤ１におけるストップモードを実行するストップ状態においては、モード切換装置５０の一部を構成するカム付きギア３のヘッドカム２０においては、その周面のギア支軸４に近い部位２０ａが作動部材２２に当接している。これにより、ヘッドベース２１は、ベース付勢ばねの付勢力によって矢印Ｃ方向へ移動しており、ヘッドはカセットテープから離間している。また、ソレノイド４５は非通電状態とされており、プランジャ４６は、図１下方に前進した前進端に位置している。この状態において、モード切換レバー３０は、レバー付勢ばねの付勢力によって、レバー支軸３１を中心として矢印Ｅにて示す反時計回りに付勢されており、係合突起４０は、環状溝１０の外周側に位置している。この時、カム付きギア３は、ヘッドカム２０および作動部材２２を介して伝達されるベース付勢ばねの付勢力によって矢印Ｂ方向へ付勢されているが、係合突起４０がカム付きギア３のストップ位置を設定するための動作モードストッパ１１と係合しているので、カム付きギア３は停止状態を保持している。なお、ベース付勢ばねは、カム付きギア３を回転方向に沿って回転するように付勢する付勢手段としての機能を具備している。また、カム付きギア３の歯５の欠損部５ａが出力ギア６と対向している。
【００３１】
つぎに、録音あるいは再生スイッチを操作すると、ソレノイド４５が短時間通電状態とされ、ソレノイド４５の励磁によりプランジャ４６が引かれ後退する。これにより、モード切換レバー３０が矢印Ｆ方向に回動し、係合突起４０が動作モードストッパ１１から外れて環状溝１０の内周側に移動する。この時、カム付きギア３は、矢印Ｂ方向へ付勢されているので、係合突起４０が動作モードストッパ１１から外れた時点で所定の回転方向たる矢印Ｂ方向へ回動し、カム付きギア３の歯５が出力ギア６と噛合し、カム付きギア３は出力ギア６によりさらに矢印Ｂ方向へ駆動される。また、ソレノイド４５に対する通電時間（吸引時間）は短時間であり、通電が終了すると、プランジャ４６が前進して前進端に復帰し、これによりモード切換レバー３０は矢印Ｅ方向に回動し、係合突起４０は環状溝１０の外側に復帰する。
【００３２】
つぎに、カム付きギア３が出力ギア６によって矢印Ｂ方向へ所定の角度だけ駆動されると、係合突起４０がストップ位置を設定するための動作モードストッパ１１よりカム付きギア３の回転方向の後側に配置されているプレイモードにおけるカム付きギア３のプレイ位置を設定するための動作モードストッパ１２に当接して係合される。これにより、モード切換装置５０は、モード切換レバー３０がプレイ位置に保持されたプレイ状態を保持し、動作モードはプレイモードに切り換えられる。このプレイ状態を図２に示す。
【００３３】
このように、カム付きギア３がストップ状態からプレイ状態まで矢印Ｂ方向へ回転する間に、ヘッドカム２０は、作動部材２２を介してヘッドベース２１を矢印Ｄ方向へ移動させ、ヘッドはカセットテープに当接する位置に到達する。
【００３４】
前記モード切換装置５０のプレイ状態においては、図２に示すように、カム付きギア３のヘッドカム２０は、その周面のギア支軸４から遠い部位２０ｂが作動部材２２に当接している。また、係合突起４０は、カム付きギア３のプレイ位置を設定するための動作モードストッパ１２と係合しており、カム付きギア３の歯５の欠損部５ｂが出力ギア６と対向している。その他の状態は、前述したモード切換装置５０のストップ状態と同様とされており、その詳しい説明は省略する。なお、モード切換装置５０がプレイ状態に保持されると、カセットテープは、キャプスタンとピンチローラとの間に挟持され、キャプスタンの回転により走行し、巻き取り用のリールに巻き取られる。この時、カセットテープに当接されるヘッドによって録音あるいは再生が行われる。
【００３５】
ついで、早送りあるいは巻き戻しスイッチを操作すると、録音あるいは再生スイッチを操作した時と同様に、ソレノイド４５が短時間通電状態とされ、ソレノイド４５の励磁によりプランジャ４６が引かれ後退する。これにより、モード切換レバー３０が矢印Ｆ方向に回動し、係合突起４０が動作モードストッパ１２から外れて環状溝１０の内周側に移動する。この時、カム付きギア３は、矢印Ｂ方向へ付勢されているので、係合突起４０が動作モードストッパ１２から外れた時点で矢印Ｂ方向へ回動し、カム付きギア３の歯５が出力ギア６と噛合し、カム付きギア３は出力ギア６によりさらに矢印Ｂ方向へ駆動される。また、ソレノイド４５に対する通電が終了すると、プランジャ４６が前進して前進端に復帰し、これによりモード切換レバー３０は矢印Ｅ方向に回動し、係合突起４０は環状溝１０の外側に復帰する。
【００３６】
つぎに、カム付きギア３が出力ギア６によって矢印Ｂ方向へ所定の角度だけ駆動されると、係合突起４０がプレイ位置を設定するための動作モードストッパ１２よりカム付きギア３の回転方向の後側に配置されている早送り／巻き戻しモードにおけるカム付きギア３の早送りあるいは巻き戻し位置を設定するための動作モードストッパ１３に当接して係合される。これにより、モード切換装置５０は、モード切換レバー３０が早送り／巻き戻し位置に保持された早送り／巻き戻し状態を保持し、動作モードはプレイモードから早送り／巻き戻しモードに切り換えられる。この早送り／巻き戻し状態を図３に示す。
【００３７】
このように、カム付きギア３がプレイ状態から早送り／巻き戻し状態まで矢印Ｂ方向へ回転する間に、ヘッドカム２０は、作動部材２２を介してヘッドベース２１を矢印Ｃ方向へ移動させ、ヘッドはカセットテープから所定量離れた位置に到達する。
【００３８】
前記モード切換装置５０の早送り／巻き戻し状態においては、図３に示すように、カム付きギア３のヘッドカム２０は、その周面のギア支軸４からやや遠い部位２０ｃが作動部材２２に当接している。また、係合突起４０は、カム付きギア３の早送り／巻き戻し位置を設定するための動作モードストッパ１３と係合しており、カム付きギア３の歯５の欠損部５ｃが出力ギア６と対向している。その他の状態は、前述したモード切換装置５０のストップ状態あるいはプレイ状態と同様とされており、その詳しい説明は省略する。なお、モード切換装置５０が早送り／巻き戻し状態に保持されると、カセットテープは、送出しあるいは巻き取り用のリールに巻き取られる。この時、ヘッドは、カセットテープから離れている。
【００３９】
つぎに、停止スイッチを操作すると、前述した録音あるいは再生スイッチ、早送りあるいは巻き戻しスイッチを操作した時と同様に、ソレノイド４５が短時間通電状態とされ、ソレノイド４５の励磁によりプランジャ４６が引かれ後退する。これにより、モード切換レバー３０が矢印Ｆ方向に回動し、係合突起４０が動作モードストッパ１３から外れて環状溝１０の内周側に移動する。この時、カム付きギア３は、矢印Ｂ方向へ付勢されているので、係合突起４０が動作モードストッパ１３から外れた時点で矢印Ｂ方向へ回動し、カム付きギア３の歯５が出力ギア６と噛合し、カム付きギア３は出力ギア６によりさらに矢印Ｂ方向へ駆動される。また、ソレノイド４５に対する通電が終了すると、プランジャ４６が前進して前進端に復帰し、これによりモード切換レバー３０は矢印Ｅ方向に回動し、係合突起４０は環状溝１０の外側に復帰する。
【００４０】
つぎに、カム付きギア３が出力ギア６によって矢印Ｂ方向へ所定の角度だけ駆動されると、係合突起４０が早送り／巻き戻し位置を設定するための動作モードストッパ１３よりカム付きギア３の回転方向の後側に配置されているストップモードにおけるカム付きギア３のストップ位置を設定するための動作モードストッパ１１に当接して係合される。これにより、モード切換装置５０は、モード切換レバー３０がストップ位置に保持されたストップ状態を保持し、動作モードは図１に示すストップモードに復帰する。
【００４１】
なお、カム付きギア３が早送り／巻き戻し状態からストップ状態まで矢印Ｂ方向へ回転する間に、係合突起４０は、基準ストッパ１４の配設位置を通過する。この時、係合突起４０は環状溝の外周側に位置しているので、基準ストッパ１４の移動軌跡と係合突起４０が干渉せず、係合突起４０と基準ストッパ１４とは係合しない。
【００４２】
また、ストップ状態から早送り／巻き戻し状態に切り換える場合には、ソレノイド４５に対する短時間通電を２回実行することにより行う。
【００４３】
このように、本実施形態のカセットテーププレーヤ１においては、従来と同様に、カム付きギア３とモード切換レバー３０との係合位置によって、動作モードをストップモード、プレイモード、早送り／巻き戻しモードの順に、順次切り換えることができるようになっている。
【００４４】
ここで、本実施形態のカセットテーププレーヤ１のモード切換装置５０における位置の設定動作について図１および図４により説明する。
【００４５】
図４は基準位置保持状態を示す図である。
【００４６】
本実施形態のカセットテーププレーヤ１においては、電源のオン操作によるイニシャライズ動作時、あるいは使用中に所定のタイミングで、ストップ位置とプレイ位置とを誤って判断するのを防止するための位置の設定動作が行われる。この位置の設定動作は、係合突起４０を基準ストッパ１４に係合することにより実行される。
【００４７】
すなわち、ソレノイド４５に対して所定の時間通電する。この通電時間としては、カム付きギア３を１回転以上駆動することができる時間とすることが肝要である。そして、ソレノイド４５に対して所定の時間通電すると、プランジャ４６が引かれ後退する。これにより、モード切換レバー３０が矢印Ｆ方向に回動し、係合突起４０が動作モードストッパ１１から外れて環状溝１０の内周側に移動する。
【００４８】
この時、カム付きギア３は、矢印Ｂ方向へ付勢されているので、係合突起４０が動作モードストッパ１１から外れた時点で所定の回転方向たる矢印Ｂ方向へ回動し、カム付きギア３の歯５が出力ギア６と噛合し、カム付きギア３は出力ギア６により矢印Ｂ方向へ駆動される。そして、カム付きギア３の回転は、係合突起４０が環状溝１０の内側に位置しているため、係合突起４０に基準位置を設定するための基準ストッパ１４が当接して両者が係合した時点で停止する。この基準位置が設定された基準位置保持状態を図４に示す。
【００４９】
なお、環状溝１０の内周側には、基準ストッパ１４以外にも複数の突起が形成されているが、これらの突起に係合突起４０が接触した場合、突起により突き上げられ、ソレノイド４５の吸引力に抗してプランジャ４６が突起の山の分だけカム付きギア３の回転にともなって前進し、係合突起４０は各突起を乗り越えることができるようになっている。言い換えると、基準ストッパ１４は、カム付きギア３の回転にともなって係合突起４０が乗り越えることのできない形状に形成されている。
【００５０】
図４に示すように、基準位置保持状態においては、ソレノイド４５の励磁によりプランジャ４６が引かれ後退し、モード切換レバー３０が矢印Ｆ方向に回動し、係合突起４０が環状溝１０の内周側に移動している。そして、係合突起４０は、環状溝１０の内側に位置しており、カム付きギア３の基準位置を設定するための基準ストッパ１４に係合している。さらに、カム付きギア３は、歯５の欠損部５ｄが出力ギア６と対向しており、カム付きギア３のヘッドカム２０は、その周面のギア支軸４から２番目に近い部位２０ｄが作動部材２２に当接し、カム付きギア３は、ヘッドカム２０および作動部材２２を介して伝達されるベース付勢ばねの付勢力によって矢印Ｂ方向へ付勢されている。
【００５１】
つぎに、ソレノイド４５に対する通電が終了すると、プランジャ４６が前進して前進端に復帰し、これによりモード切換レバー３０は矢印Ｅ方向に回動し、係合突起４０は、基準ストッパ１４から離間して環状溝１０の外側に復帰する。
【００５２】
この時、カム付きギア３が矢印Ｂ方向へ付勢されているので、係合突起４０が基準ストッパ１４から外れた時点、すなわち係合突起４０と基準ストッパ１４との係合が解除された時点で、カム付きギア３は、所定の回転方向たる矢印Ｂ方向へ回動し、カム付きギア３の歯５が出力ギア６と噛合し、カム付きギア３は出力ギア６によりさらに矢印Ｂ方向へ駆動される。
【００５３】
つぎに、カム付きギア３が出力ギア６によって矢印Ｂ方向へ所定の角度だけ駆動されると、係合突起４０が基準位置の設定に用いる基準ストッパ１４よりカム付きギア３の回転方向の後側に配置されているストップ位置を設定するための動作モードストッパ１１に当接して係合される。これにより、モード切換装置５０は、図１に示すように、モード切換レバー３０がストップ位置に保持されたストップ状態を確実に保持し、動作モードがストップモードとなり、操作者による入力の待ち受け状態となる。
【００５４】
すなわち、本実施形態のカセットテーププレーヤ１においては、位置の設定動作時に、ソレノイド４５を駆動すると、モード切換レバー１３の係合突起４０は、環状溝１０の内周側と外周側とのいずれかに選択的に位置する。そして、係合突起４０を環状溝１０の内周側に位置させた状態でカム付きギア３を回転させると、係合突起４０は、カム付きギア３の動作モードストッパ１１，１２，１３とは係合せずに、基準ストッパ１４とのみ係合してカム付きギア３の回転を停止する。その後、ソレノイド４５を逆方向に駆動（復帰）して係合突起４０を環状溝１０の内周側から外周側に位置させると、カム付きギア３が回転し、係合突起４０は、カム付きギア３の動作モードストッパ１１，１２，１３のうちのストップ位置を設定するための動作モードストッパ１１と係合してカム付きギア３の回転を停止する。
【００５５】
したがって、モード切換レバー３０は、基準位置を経由した後には必ずストップ位置でカム付きギア３の回転を停止させることができるので、ストップ位置を確実に判断することができる。その結果、従来の個別に配設されるプレイ位置検出スイッチを不要にし、コスト削減を図ることができる。
【００５６】
また、本実施形態のカセットテーププレーヤ１においては、係合突起４０を各動作モードストッパ１１，１２，１３および基準ストッパ１４から離間した際に、カム付きギア３を矢印Ｂにて示す回転方向に沿って回転するように付勢する付勢手段としてのベース付勢ばねを設けてあるから、係合突起４０と基準ストッパ１４との係合状態を解除した際に、カム付きギア３を確実に回転させることができる。
【００５７】
なお、本実施形態のカセットテーププレーヤ１における各動作の制御は、ＣＰＵ、メモリなどからなる制御部により実行される。また、メモリには前述したモード切換、位置設定などを含むカセットテーププレーヤ１の動作制御に必要な制御プログラムが格納されている。
【００５８】
なお、本発明は、前記実施形態に限定されるものではなく、必要に応じて種々変更することができる。
【００５９】
【発明の効果】
以上説明したように本発明に係るカセットテーププレーヤのモード切換装置によれば、従来必要とされたプレイ位置検出スイッチを不要にし、低コスト化を容易かつ確実に図ることができるなどの極めて優れた効果を奏する。
【図面の簡単な説明】
【図１】本発明に係るカセットテーププレーヤのモード切換装置を適用したカセットテーププレーヤのストップ状態におけるメインフレームの背面側の主要構成を示す平面図
【図２】図１のカセットテーププレーヤのプレイ状態を示す図１と同様の図
【図３】図１のカセットテーププレーヤの早送り／巻き戻し状態を示す図１と同様の図
【図４】図１のカセットテーププレーヤの基準位置保持状態を示す図１と同様の図
【符号の説明】
１　カセットテーププレーヤ
２　メインフレーム２
３　カム付きギア
５　（カム付きギアの）歯
５ａ、５ｂ、５ｃ、５ｄ　（歯の）欠損部
６　出力ギア
１０　環状溝
１１、１２、１３　動作モードストッパ
１４　基準ストッパ
２０　ヘッドカム
２１　ヘッドベース
２２　作動部材
３０　モード切換レバー
４０　係合突起
４５　ソレノイド
５０　モード切換装置
【図１】
2004095043.tif 000003
【図２】
2004095043.tif 000004
【図３】
2004095043.tif 000005
【図４】
2004095043.tif 000006